(57)【要約】【課題】メイン基板の背面にＤＶＤローダーと、サブ基板を上下に配置する必要があって、且つサブ基板を配置する側のメイン基板の部位が沿面距離を考慮する必要がある場合においても、サブ基板のビビリ音を防止するＤＶＤ付テレビジョン装置を提供する。【解決手段】サブ基板をメイン基板の一次側回路側に固定できるよう、樹脂にて形成されて、サブ基板を固定する基板配置面１４ａから略垂直に延設する２本の脚部１４ｂ、１４ｃを有するサブ基盤ホルダ１４を用いて、メイン基板とネジ止めする。【選択図】図４
2007299435.tif 000002
【特許請求の範囲】
【請求項１】
映像を表示するための厚みの薄いフラットパネルディスプレイと、
アナログ素子間に沿面距離を取って構成される一次側回路を回路実装面の一方に実装するとともに、もう片方に二次側回路を実装するメイン基板と、
ＤＶＤメディアに記録されたデータの読み取りを行うとともに、ＤＶＤ載置トレイをスライドさせてＤＶＤメディアを載置するＤＶＤローダーと、
前記ＤＶＤローダーを制御するサブ基板と、
前記サブ基板を前記ＤＶＤローダーの近傍に配置するサブ基板ホルダと、
前記フラットパネルディスプレイの表示面を露出させて収容するための開口部を有する厚みの薄い箱型形状であって、前記フラットパネルディスプレイの背面に前記メイン基板と、ＤＶＤローダーと、サブ基板ホルダとをネジ止めするためのボスを背面から略垂直に立設するよう形成し、収容する前記フラットパネルディスプレイの背面側に、前記メイン基板の二次側回路が実装される一方を上側に、一次側回路が実装される他方を下側に配置するよう厚み方向を同じに固定する樹脂製のメインフレームとを有するＤＶＤ付テレビジョン装置において、
前記サブ基板ホルダは、樹脂にて形成されるとともに、厚みの薄い略Ｌ字状の基板配置面の外周に沿って上方に所定長だけ延設するリブと、前記基板配置面の端部から前記配置面と略垂直に延設する第一の基部の端部より、前記基板配置面と略水平に延設し、ネジが貫通するための貫通穴を有する台座面とで形成された２本の脚部とを有する形状であって、
前記ＤＶＤローダーをＤＶＤ載置トレイを上方に向けてスライドするよう前記メインフレームに形成されたボスとネジ止めするとともに、前記サブ基板ホルダの基板配置面にネジ止めされた前記サブ基板を、前記脚部に形成されたネジ穴に貫通させたネジを用いて、前記ＤＶＤローダーの下方であって、前記メイン基板の一次側回路が実装された部位と友締めすることを特徴とするＤＶＤ付テレビジョン装置。
【請求項２】
メイン基板の沿面距離が必要なアナログ素子にて構成される一次側回路を実装する一方を上側に、二次側回路を実装する一方を下側に配置するようフラットパネルディスプレイの背面に固定されるとともに、ＤＶＤローダーを前記メイン基板の背面に配置し、前記ＤＶＤローダーを制御するためのサブ基板を、前記ＤＶＤローダーの下方に配置するＤＶＤ付テレビジョン装置において、
前記サブ基板は、サブ基板ホルダを用いて前記メイン基板の一次側回路が実装される下側に固定され、
前記サブ基板は、少なくとも前記メイン基板と接する箇所が樹脂にて成形されていることを特徴とするＤＶＤ付テレビジョン装置。
【請求項３】
前記サブ基板ホルダは、樹脂にて形成されるとともに、厚みの薄い略Ｌ字状の基板配置面の外周に沿って上方に所定長だけ延設するリブと、
前記基板配置面の端部から前記基板配置面と略垂直に延設する第一の基部の先端より、前記基板配置面と略水平に延設しネジが貫通するための貫通穴を有する台座面とで形成された２本の脚部とを有する形状であることを特徴とする請求項２に記載のＤＶＤ付テレビジョン装置。
【請求項４】
当該ＤＶＤ付テレビジョン装置は、厚みの薄いフラットパネルディスプレイを、樹脂製のメインフレームにて、表示面を露出させつつ収容するものであって、
前記サブ基板ホルダと、前記メイン基板とは、前記メインフレームの背面に配置されたボスにて同一のネジにて友締めされることを特徴とする請求項２または請求項３のいずれかに記載のＤＶＤ付テレビジョン装置。
【発明の詳細な説明】
【技術分野】
【０００１】
本発明は、ＤＶＤ付テレビジョン装置に関し、特に、びびり音を防止するＤＶＤ付テレビジョンに関する。 
【背景技術】
【０００２】
図６は、従来のＤＶＤ付テレビジョン装置の側面図を示す図である。同図より、ＤＶＤ付テレビジョン装置１は、フロントキャビネット８ａとバックキャビネット８ｂとから構成される筺体８と、フラットパネルディスプレイ２と、メインフレーム３と、メイン基板４と、ＤＶＤローダー５と、サブ基板６と、サブ基板ホルダ７とを有する構成である。また、フラットパネルディスプレイ２の厚みの薄さを有効に活用するために、メイン基板４と、ＤＶＤローダー５はフラットパネルディスプレイ２の背面に厚みを同じに固定されるとともに、サブ基板をＤＶＤローダー５の下方に配置する。そのため、ＤＶＤローダー５は、筺体８のバックキャビネット８ｂの上方より、ＤＶＤ載置用トレイ５ａをスライドさせることでＤＶＤを載置する形式を採用している。ＤＶＤローダー５の固定方法としては、フラットパネルディスプレイ２の背面に、メインフレーム３を用いてメイン基板４と友締めされて固定される。
【０００３】
ＤＶＤローダー５と友締めされるメイン基板４は、上側にＤＶＤ付テレビジョン装置１のテレビジョン機能を制御する映像回路や、チューナ部等の二次側回路が実装され、下側には整流回路やトランス等の一次側回路が実装されている。一次側回路は、コンデンサやサーミスタ等のアナログ素子により構成され、アナログ素子を実装するプリントは沿面距離が確保されている。沿面距離は、アナログ素子間並びにプリント間に、リーク電流などが流れることで、回路が誤動作するのを防止するためのものである。このため、メイン基板４の背面にＤＶＤローダー５を配置する場合、ＤＶＤローダー５を制御するサブ基板６は、メイン基板４の下側にサブ基板ホルダ７を直接ネジ止めすることができず、図のようにＤＶＤローダー５に直接ネジ止めしていた。
【０００４】
しかしながら、ＤＶＤローダー５は、ＤＶＤ等のメディアを回転させるためのモータ等の振動により絶えず振動しており、前記振動はサブ基板ホルダ７やサブ基板６を振動させビビリ音を発生させる原因となっていた。
【０００５】
振動によるリモコン受光部のビビリ音の発生を防止する方法としては、トレイにセットする光ディスクが配置されるローダーの下側のメイン基板上に立設取付する平面視コ字形のリモコン受光部を補強して固定し、ローダーの下部に配置しローダー駆動用のモータ駆動系の配線基板をリモコン受光部側に延設形成し、配線基板の前側縁に平面視コ字形のリモコン受光部の左右両側片を嵌め入れる左右２箇所の切込みを穿設し、切込みに平面視コ字形のリモコン受光部の左右両側片の後側部を嵌め入れ、キャビネットの前壁の裏面をリモコン受光部の前面に当接してリモコン受光部を前後左右に振れないようにする方法が開示されている（例えば、特許文献１参照。）。
【０００６】
また、ＤＶＤデッキの基板支持方法としては、プログレッシブ基板をメイン基板と同じ平面に配置するための空間がなく、かつ、構造上プログレッシブ基板全体をメイン基板に重ねて配置することができない場合において、メイン基板を支持するシャーシにプログレッシブ基板を支持するにあたり、メイン基板側の縁部が当該メイン基板とシャーシとの間で挟持されて同シャーシに支持されるとともに、プログレッシブ基板を同シャーシ側から支持するホルダを設け、このホルダを介してプログレッシブ基板をシャーシに支持させるようにした方法が開示されている（例えば、特許文献２参照。）。
【０００７】
ＤＶＤの基板の使用例として、電磁シールド用の鋼板を使用せず、従来に比べてコストの低減が可能した方法が開示されている（例えば、特許文献３参照。）。
【特許文献１】特開２００３−１７３６７０
【特許文献２】登録実用新案３０９００８５
【特許文献３】特開２００２−３６７３５９
【発明の開示】
【発明が解決しようとする課題】
【０００８】
上述した特許文献１の発明は、次のような課題があった。つまり、上述した基板の固定方法は、リモコン受光部等の比較的小型の基板には有効であるが、本発明のようなメイン基板と厚み方向を同じに配置する大きめな基板には、使用できなかった。
【０００９】
また、特許文献２の発明は、次のような課題がった。本発明のようなメインフレーム（メインシャーシ）の全体を覆うようにメイン基板が配置さる配置構成では、特許文献２の発明は使用することができなかった。
【００１０】
また、特許文献３の発明は、サブ基板のびびり音の防止を目的としたものではなく、また、使用範囲が形状により限定されていた。
【００１１】
本発明は、上記課題にかんがみてなされたもので、メイン基板の背面にＤＶＤローダーと、サブ基板を上下に配置する必要があって、且つサブ基板を配置する側のメイン基板の部位が沿面距離を考慮する必要がある場合においても、ビビリ音の発生を抑制することが可能なＤＶＤ付テレビジョン装置の提供を目的とする。
【課題を解決するための手段】
【００１２】
上記課題を解決するために、本発明の請求項１にかかる発明では、映像を表示するための厚みの薄いフラットパネルディスプレイと、アナログ素子間に沿面距離を取って構成される一次側回路を回路実装面の一方に実装するとともに、もう片方に二次側回路を実装するメイン基板と、ＤＶＤメディアに記録されたデータの読み取りを行うとともに、ＤＶＤ載置トレイをスライドさせてＤＶＤメディアを載置するＤＶＤローダーと、前記ＤＶＤローダーを制御するサブ基板と、前記サブ基板を前記ＤＶＤローダーの近傍に配置するサブ基板ホルダと、前記フラットパネルディスプレイの表示面を露出させて収容するための開口部を有する厚みの薄い箱型形状であって、前記フラットパネルディスプレイの背面に前記メイン基板と、ＤＶＤローダーと、サブ基板ホルダとをネジ止めするためのボスを背面から略垂直に立設するよう形成し、収容する前記フラットパネルディスプレイの背面側に、前記メイン基板の二次側回路が実装される一方を上側に、一次側回路が実装される他方を下側に配置するよう厚み方向を同じに固定する樹脂性のメインフレームとを有するＤＶＤ付テレビジョン装置において、
前記サブ基板ホルダは、樹脂にて形成されるとともに、厚みの薄い略Ｌ字状の基板配置面の外周に沿って上方に所定長だけ延設するリブと、前記基板配置面の端部から前記基板配置面と略垂直に延設する第一の基部の端部より、前記基板配置面と略水平に延設し、ネジが貫通するための貫通穴を有する台座面とで形成された２本の脚部とを有する形状であって、前記ＤＶＤローダーをＤＶＤ載置トレイを上方に向けてスライドするよう前記メインフレームに形成されたボスとネジ止めするとともに、前記サブ基板ホルダの基板配置面にネジ止めされた前記サブ基板を、前記脚部に形成されたネジ穴に貫通させたネジを用いて、前記ＤＶＤローダーの下方であって、前記メイン基板の一次側回路が実装された部位と友締めする構成としてある。
【００１３】
上記のように構成した請求項１にかかる発明においては、樹脂製のメインフレームにて、前記フラットパネルディスプレイの背面側に、前記メイン基板の二次側回路が実装される一方を上側に、一次側回路が実装される他方を下側に配置するよう厚み方向を同じに固定される、ＤＶＤ付テレビジョン装置において、サブ基板ホルダは、ＤＶＤローダーを制御するためのサブ基板をＤＶＤローダーの下方、メイン基板の一次側回路が実装される上方に配置するためのものである。このため、前記サブ基板ホルダは、樹脂にて形成されるとともに、厚みの薄い略Ｌ字状の基板配置面の外周に沿って上方に所定長だけ延設するリブと、前記基板配置面の端部から前記基板配置面と略垂直に延設する第一の基部の端部より、前記基板配置面と略水平に延設し、ネジが貫通するための貫通穴を有する台座面とで形成された２本の脚部とを有する形状である。
【００１４】
また、上記目的を達成するために、請求項２に記載のＤＶＤ付テレビジョン装置では、メイン基板の沿面距離が必要なアナログ素子にて構成される二次側回路を実装する一方を上側に、一次側回路を実装する一方を下側に配置するようフラットパネルディスプレイの背面に固定されるとともに、ＤＶＤローダーを前記メイン基板の後方に配置して固定し、前記ＤＶＤローダーを制御するためのサブ基板を、前記ＤＶＤローダーの下方に配置するＤＶＤ付テレビジョン装置において、
前記サブ基板は、サブ基板ホルダを用いて前記メイン基板の一次側回路が実装される下側に固定され、前記サブ基板は、少なくとも前記メイン基板と接する箇所が樹脂にて成形されている構成としてある。
【００１５】
上記のように構成した請求項２にかかる発明において、ＤＶＤ付テレビジョン装置は、メイン基板の沿面距離が必要なアナログ素子にて構成される二次側回路を実装する一方を上側に、二次側回路を実装する一方を下側に配置するようフラットパネルディスプレイの背面に固定されるとともに、ＤＶＤローダーを前記メイン基板の後方に配置して固定し、前記ＤＶＤローダーを制御するためのサブ基板を、前記ＤＶＤローダーの下方に配置する構成である。そのため、サブ基板ホルダは、前記メイン基板の一次側回路側に固定できるよう、少なくとも一次側回路と接する箇所が絶縁物質で形成されている。
【００１６】
そして、請求項３にかかる発明では、請求項２に記載のＤＶＤ付テレビジョン装置において、前記サブ基板ホルダは、樹脂にて形成されるとともに、厚みの薄い略Ｌ字状の基板配置面の外周に沿って上方に所定長だけ延設するリブと、前記基板配置面の端部から前記基板配置面と略垂直に延設する第一の基部の先端より、前記基板配置面と略水平に延設し、ネジが貫通するための貫通穴を有する台座面とで形成された２本の脚部とを有する構成としてある。
【００１７】
上記のように構成した請求項３にかかる発明において、サブ基板固定ホルダは、樹脂にて形成されるとともに、厚みの薄い略Ｌ字状の基板配置面の外周に沿って上方に所定長だけ延設するリブと、前記基板配置面の先端から前記基板配置面と略垂直に延設する第一の基部の端部より、前記基板配置面と略水平に延設し、ネジが貫通するための貫通穴を有する台座面とで形成された２本の脚部とを有する形状である構成とすることで、サブ基板とメイン基板との間に空間を形成するので、一次側回路の放熱を溜め込むことなくかつ一次側回路に実装する素子の高さを考慮する必要がないためメイン基板の設計の自由度を高めることができる。
【００１８】
さらに、請求項４にかかる発明では、請求項２または請求項３のいずれかに記載のＤＶＤ付テレビジョン装置において、当該ＤＶＤ付テレビジョン装置は、厚みの薄いフラットパネルディスプレイを、樹脂製のメインフレームにて、表示面を露出させつつ収容するものであって、前記サブ基板と、前記サブ基板ホルダと、前記メイン基板とは、前記メインフレームの背面に配置されたボスにて同一のネジにて友締めされる構成としてある。
【００１９】
上記のように構成した請求項４にかかる発明において、サブ基板ホルダと、メイン基板とをネジにてメインフレームのボスにネジ止めするので、ネジ本数を減らすことができる。
【発明の効果】
【００２０】
以上説明したように本発明によれば、メイン基板の後方にＤＶＤローダーとＤＶＤローダーを制御するためのサブ基板を配置する構成であるＤＶＤ付テレビジョン装置において、サブ基板のビビリを防止することで、ユーザの不快感を発生させないＤＶＤ付テレビジョン装置を提供することができる。
そして請求項３にかかる発明によれば、サブ基板とメイン基板との間に空間を形成するので、一次側回路の放熱を溜め込むことなくかつ一次側回路に実装する素子の高さを考慮する必要がないためメイン基板の設計の自由度を高めることができる。
さらに請求項４にかかる発明によれば、サブ基板ホルダとメイン基板とをネジを用いて、ボスに友締めするので、ネジ本数を減らしコストを削減することができる。
さらに請求項１のような、より具体的な構成において、上述した請求項２〜請求項４の各発明と同様の作用を奏することはいうまでもない。
【発明を実施するための最良の形態】
【００２１】
以下、下記の順序に従って本発明の実施形態であるＤＶＤ付テレビジョン装置を説明する。
（１）ＤＶＤ付テレビジョン装置の構成
（２）サブ基板の固定方法
（３）変形例
（４）まとめ
【００２２】
（１）ＤＶＤ付テレビジョン装置の構成 
以下、図１、図２、図３、図４を参照して、この発明に係るＤＶＤ付テレビジョン装置を具体化した第１の実施の形態について説明する。図１は、ＤＶＤ付テレビジョン装置のブロック構成図である。ＤＶＤ付テレビジョン装置１０は、メイン基板１２と、フラットパネルディスプレイ１７と、スピーカ１６と、ＤＶＤローダー１１と、サブ基板１５、さらには、リモコン１３とを有する構成である。さらには、図１には図示しない、メインフレーム１８、サブ基板ホルダ１４にて、筺体１９内部に収容される。以下にＤＶＤ付テレビジョン装置１０を構成する各要素について説明を行う。
【００２３】
メイン基板１２は、アナログ素子間に沿面距離を取って構成される一次側回路１２ｂを回路実装面の一方に実装するとともに、もう片方に二次側回路１２ａを実装する構成である。本発明の一実施形態であるメイン基板１２の概略機能としては、まず、コンセント１２ｂ１から供給された電源を基に一次側回路１２ｂにて安定化電源を生成する。次に、一次側回路にて生成された安定化電源を図示しないトランスを介して二次側回路１２ａに供給する。二次側回路１２ａはＤＶＤ付テレビジョン装置１０のテレビジョン装置として機能を構成する回路が実装されており、アンテナ１２ａ９が受信したテレビジョン電波を基に二次側回路１２ａがテレビジョン放送をフラットパネルディスプレイ１７に表示する。以下に二次側回路１２ａの概略構成を含めたＤＶＤ付テレビジョン装置１０のテレビジョン放送を表示する機能を説明する。
【００２４】
二次側回路１２ａは、チューナ部１２ａ１、映像回路１２ａ２、音声回路１２ａ３、バッファ１２ａ４、リモコンＩ／Ｆ１２ａ５、マイコン１２ａ６、記録部１２ａ７、さらにはＯＳＤ回路１２ａ８とを有する構成である。同図より、リモコン１３の操作キー１３ｂの操作に基づいて、赤外線送信部１３ａは所定の赤外線信号を、リモコンＩ／Ｆ１２ａ５に向けて出力する。リモコンＩ／Ｆ１２ａ５は上記赤外線信号を受光すると、上記した赤外線信号を所定の電圧を有する操作信号に再度変換した後、マイコン１２ａ６に出力する。
【００２５】
マイコン１２ａ６は上記操作信号を受信して、記録部１２ａ７に記録された所定の制御プログラムに基づいてＤＶＤ付テレビジョン装置１０全体を操作する。上記した記録部１２ａ７としては、プログラムを記録しておくためのＲＯＭや、マイコン１２ａ６の作業テーブルとして使用するＲＡＭなどが上げられる。リモコン１３の操作キー１３ｂを用いて、チャネルの切り替え操作を行うと、マイコン１２ａ６は、チューナ部１２ａ１にリモコン１３を用いて選択したチャネルに対応する搬送波を選択するよう指示を出す。チューナ部１２ａ１は、上記指示を受けてアンテナ１２ａ９が受信したテレビジョン電波から所定の搬送波を選択するとともに、上記選択した搬送波から映像信号と音声信号を分離するクロマ制御を行う。
【００２６】
上述した、チューナ部１２ａ１としては、ＰＬＬ方式のチューナが上げられるとともに、アナログテレビジョン放送を受信するものや、ディジタルテレビジョン放送を受信するもの、さらにはアナログテレビジョン放送とディジタルテレビジョン放送の両方を受信するものであってもよい。
【００２７】
チューナ部１２ａ１にてクロマ制御された映像信号と音声信号はそれぞれ、映像回路１２ａ２と、音声回路１２ａ３に出力される。映像回路１２ａ２は、上記映像信号を基にＲＧＢの各階調に対応する色信号や、輝度信号を生成するとともに、上記生成した色信号や輝度信号に所定の信号処理を実施する。その後、生成した色信号と輝度信号を後述するフラットパネルディスプレイ１７の表示パネル１７ｂの各画素に対応するよう分割し、一時的な記録部であるバッファ１２ａ４に記録する。
【００２８】
バッファ１２ａ４に記録された色信号や輝度信号は、フラットパネルディスプレイ１７の駆動回路１７ａに出力される。駆動回路１７ａは、上記分割されて入力された色信号や輝度信号を基に、表示パネル１７ｂのマトリクス状に配置された各画素を駆動するための駆動信号を生成し出力する。
【００２９】
表示パネル１７ｂは、駆動回路１７ａからの駆動信号をマトリクス状に配置した各画素に印加することで映像を表示する。表示パネルとしては、各画素に駆動信号の印加により発光する発光物質を充填したプラズマディスプレイパネル、または各画素に駆動信号の電圧値によって分子の配列が変化しバックライトからの光源の透過率を変化させる液晶ディスプレイパネルが上げられる。
【００３０】
また、チューナ部１２ａ１から出力された音声信号は、音声回路１２ａ３に出力された後、スピーカ１６を介して音声として出力される。音声回路１２ａ３は、リモコン１３の操作によるマイコン１２ａ６からの指示に基づいて、増幅等の信号処理を音声信号に実施する。
【００３１】
ＤＶＤローダー１１は、ＤＶＤ等のメディアに記録されたデータを読み取りを行うとともに、読み取ったデータをサブ基板１５のＤＶＤ制御回路１５ａに出力する。ＤＶＤ制御回路１５ａは、ＤＶＤローダー１１から出力された映像データ、ないし音声データをデコードし、映像信号を映像回路１２ａ２に出力するとともに、音声信号を音声回路１２ａ３に出力する。本発明の一実施形態としてのＤＶＤローダー１１の構成は、ＤＶＤ載置トレイをＤＶＤローダー１１の一面からスライドさせてＤＶＤを載置するが、ＤＶＤローダーの構成はこれに限定されずＤＶＤをＤＶＤローダー１１の所定の面からスロットインさせる形状のものでもよい。
【００３２】
次に一次側回路１２ｂの説明を行う。一次側回路１２ｂは、コンセント１２ｂ１から供給された商用交流電源を整流した後、トランジスタによるスイッチング作用に基づいて所定の電圧を昇圧、または減圧して安定化した交流電源を生成する電源回路１２ｂ２を有する構成である。電源回路１２ｂ２にて生成された交流電源は、トランスにて絶縁されつつ上述した二次側回路１２ａ、フラットパネルディスプレイ１７、さらにはスピーカ１６等に供給される。また、一次側回路１２ｂは数百ボルトに達する比較的高圧の電源を生成するため、アナログ素子を実装する回路パターンには、短絡等を防止するための沿面距離が設けられている。
【００３３】
次に、図２、図３を用いて、ＤＶＤ付テレビジョン装置１０の各要素の配置構成を説明する。図２はＤＶＤ付テレビジョン装置１０の背面図である。図３はＤＶＤ付テレビジョン装置１０の側面図である。同図より、メインフレーム１８にて、メイン基板１２は、フラットパネルディスプレイ１７の背面に厚みを同じにネジ止めされ、さらにメイン基板１２の背面にＤＶＤローダー１１を、ＤＶＤ載置用トレイ１１ａのスライド方向を上方に向けて固定するとともに、サブ基板１５をＤＶＤローダー１１の下方に、メイン基板１２と厚みを同じに配置する。これにより、筺体１９にて上記状態で配置されたフラットパネルディスプレイ１７を収容した際、フラットパネルディスプレイ１７の厚みの薄さを有効に活用することが可能となる。
【００３４】
メインフレーム１８は樹脂にて形成されて、フラットパネルディスプレイ１７の映像表示面を露出して収容可能な厚みの薄い箱型形状であるとともに、フラットパネルディスプレイ１７の背面側に基板を厚み方向を同じに固定するための複数のボス１８ａ、１８ｂ、１８ｃ、１８ｄとを背面に立設する構成である。本発明の一実施形態であるボス１８ａ、１８ｂ、１８ｃ、１８ｄはメインフレーム１８に一体成形されているがこれに限定されず、メインフレーム１８と別体で形成してもよい。メイン基板１２は、上述した二次側回路１２ａの上側に、一次側回路１２ｂを下側に配置してメインフレーム１８のボス１８ａ、１８ｂにネジ止めされる。また、後述するように、ボス１８ｃ、１８ｄを用いてサブ基板ホルダ１４と友締めされる。そのため、上述したメインフレーム１８のボス１８ａ、１８ｂ、１８ｃ、１８ｄ、に対応する箇所にそれぞれ、ネジが貫通する貫通穴１２ｃ、１２ｄ、１２ｅ、１２ｆ、とを有している。
【００３５】
ＤＶＤローダー１１は、筺体１９に収容された際、ＤＶＤ載置用トレイ１１ａを上方に向けてスライドさせて、バックキャビネット１９ｂの上方に形成された開口部１９ｂ１より露出させることで、ＤＶＤ等のメディアをＤＶＤ載置用トレイ１１ａに配置可能にする。このため、ＤＶＤローダー１１は、メイン基板１２の上側に、ＤＶＤ載置用トレイ１１ａのスライド方向を上側に向けてネジ止めされる。ＤＶＤローダー１１のネジ止め方法としては、メインフレームのボス１８ｅ、１８ｆ、１８ｇ、１８ｈ等を用いてネジ止めするが、ＤＶＤローダー１１を固定するためのＤＶＤローダー固定用ホルダ２０を用いて固定してもよいし、ＤＶＤローダー１１の本体にボスを形成して、メイン基板を挟むようにして直接メインフレーム１８にネジ止めするものであってもよい。
【００３６】
（２）サブ基板の固定方法
図４は、サブ基板ホルダの斜視図を表す図である。同図より、サブ基板ホルダ１４は、基板を配置する面である、基板配置面１４ａと、基板配置面１４ａから延設する脚部１４ｂ、１４ｃとを有する構成である。基板配置面１４ａは、略Ｌ字状であって、基板配置面１４ａには、サブ基板１５を対角線上の２点ともう一点で固定するためのボス１４ａ１、１４ａ２、１４ａ３とが形成されている。また、基板配置面の外周には、同基板配置面から所定長だけ外周に沿って延設する基板位置決め用リブ１４ｄとを有している。上記した基板位置決め用リブ１４ｄは、サブ基板１５の３頂点を各ボス１４ａ１、１４ａ２、１４ａ３を用いてネジ止めする際の、ネジ穴とサブ基板１５の貫通穴を合わせるための位置決めとして機能する。
【００３７】
また、脚部１４ｂ、１４ｃは、基板配置面１４ａの端部より同基板配置面１４ａと略垂直に延設する第一の基部１４ｂ１、１４ｃ１の先端に、サブ基板ホルダ１４を支持するための台座面１４ｂ２、１４ｃ２が基板配置面１４ａと略水平に配置されるとともに、上記台座面１４ｂ２、１４ｃ２にはネジが貫通する貫通穴１４ｂ３、１４ｃ３とを有している。サブ基板ホルダ１４が２本の脚部１４ｂ、１４ｃにて固定される理由として、サブ基板１５の重量が比較的軽いことと、サブ基板ホルダ１４がＤＶＤローダー１１等の振動発生源と接触していないことが上げられる。そのため、脚部１４ｂ、１４ｃのみでサブ基板１５を確実に固定することが可能となる。
【００３８】
さらに、脚部１４ｂ、１４ｃは、脚部１４ｂ、１４ｃ自身の強度を上げるためのリブ１４ｂ４、１４ｃ４が、第一の基部１４ｂ１、１４ｃ１から台座面１４ｂ２、１４ｃ２にかけて延設している。これにより、脚部１４ｂ、１４ｃはより一層の強度を有することが可能となる。また、上述したサブ基板ホルダ１４は、２本の脚部１４ｂ、１４ｃを基板配置面１４ａから延設する形状であるが、脚部１４ｂ、１４ｃの本数は２本に限定されず、Ｌ字形状の基板配置面１４ａの両端と略中央から延設する３本の脚部にてサブ基板ホルダ１４を支持するものであってもよい。
【００３９】
上記構成のサブ基板ホルダ１４を用いてサブ基板１５を固定する方法を説明する。図５は、サブ基板ホルダに固定されるサブ基板を表す図である。同図より、サブ基板１５は、上述したサブ基板ホルダ１４の各ボス１４ａ１、１４ａ２、１４ａ３のピッチ長さに合わせてネジが貫通するネジ穴１５ｂ、１５ｃ、１５ｄを形成している。また、サブ基板１５に形成するネジ穴１５ｂ、１５ｃ、１５ｄの直径は、使用するネジの直径より多少大きいことが望ましい。これは、後述する方法でサブ基板１５をサブ基板ホルダ１４にネジ止めした際、サブ基板ホルダ１４の各ボス１４ａ１、１４ａ２、１４ａ３のピッチ長さのバラつきを吸収する作用がある。
【００４０】
上述した構成で、サブ基板１５の頂点を、基板配置面１４ａの基板位置決め用リブ１４ｄにより形成された角に内側より押し当てるよう配置する。このとき、上述したように、サブ基板１５のネジ穴１５ｂ、１５ｃ、１５ｄの各ピッチは、サブ基板ホルダ１４の各ボス間のピッチと略同一長さであるとともに、貫通穴の大きさは使用するネジの直径よりも大きく、さらには基板位置決め用リブ１４ｄにて、サブ基板１５の二辺を位置決めされるためサブ基板１５を容易に各ボス１４ａ１、１４ａ２、１４ａ３にネジ止めすることが可能となる。
【００４１】
上記サブ基板１５をサブ基板ホルダ１４にネジ止めした状態で、脚部１４ｂ、１４ｃの貫通穴１４ｂ３、１４ｃ３を用いて、メイン基板１２にネジ止めする。このとき、メイン基板１２の下側に形成された貫通穴１２ｃ、１２ｄと、さらには、貫通穴１２ｃ、１２ｄの背面に位置するボス１８ｃ、１８ｄを用いて脚部１４ｂ、１４ｃの台座面１４ｂ２、１４ｃ２を友締めする。上述したように、サブ基板ホルダ１４がネジ止めされる箇所は一次側回路１２ｂが実装される箇所であるが、サブ基板ホルダ１４は絶縁体の樹脂にて形成されているので一次側回路１２ｂの沿面距離を考慮することなく一次側回路１２ｂにネジ止めすることが可能となる。
【００４２】
また、サブ基板ホルダ１４は、サブ基板１５を配置する基板配置面１４ａを、所定長さの脚部１４ｂ、１４ｃを介してメイン基板１２とネジ止めしているので、一次側回路１２ｂの発熱がサブ基板ホルダ１４の基板配置面１４ａの裏面との間に篭らず、さらには、基板配置面１４ａの下方に実装するアナログ素子の高さを制限することなく、サブ基板ホルダ１４を固定することが可能となる。これにより、一次側回路１２ｂの設計の自由度を広げることが可能となる。また、一次側回路１２ｂのアナログ素子が倒れ際、サブ基板ホルダ１４の脚部１４ｂ、１４ｃが倒れ防止として、アナログ素子が沿面距離に干渉するのを防止することができる。
【００４３】
（３）変形例
また、サブ基板ホルダ１４をメイン基板１２に固定するネジを樹脂製に変更することで一次側回路１２ｂの沿面距離の確保に対してより一層の効果を上げることが可能となる。これにより、例えば、メイン基板１２が両面にアナログ素子を実装する両面基板である場合においても、ネジが一方の実装面から裏側の実装面に突き出ることで、一方の実装面の沿面距離を干渉するのを防止することが可能となる。
【００４４】
（４）まとめ
メイン基板の背面にＤＶＤローダーと、サブ基板を上下に配置する必要があって、且つサブ基板を配置する側のメイン基板の部位が沿面距離を考慮する必要がある場合においても、サブ基板をメイン基板の一次側回路側に固定できるよう、樹脂にて形成されて、サブ基板を固定する基板配置面から略垂直に延設する２本の脚部を有するサブ基盤ホルダを用いて、メイン基板とネジ止めする。
【００４５】
また、上記目的を達成するために、請求項２に記載のＤＶＤ付テレビジョン装置では、メイン基板の沿面距離が必要なアナログ素子にて構成される二次側回路を実装する一方を上側に、一次側回路を実装する一方を下側に配置するようフラットパネルディスプレイの背面に固定されるとともに、ＤＶＤローダーを前記メイン基板の後方に配置して固定し、前記ＤＶＤローダーを制御するためのサブ基板を、前記ＤＶＤローダーの下方に配置するＤＶＤ付テレビジョン装置において、
前記サブ基板は、サブ基板ホルダを用いて前記メイン基板の一次側回路が実装される下側に固定され、前記サブ基板は、少なくとも前記メイン基板と接する箇所が樹脂にて成形されている構成としてある。
【００４６】
上記のように構成した請求項２にかかる発明において、ＤＶＤ付テレビジョン装置は、メイン基板の沿面距離が必要なアナログ素子にて構成される二次側回路を実装する一方を上側に、二次側回路を実装する一方を下側に配置するようフラットパネルディスプレイの背面に固定されるとともに、ＤＶＤローダーを前記メイン基板の後方に配置して固定し、前記ＤＶＤローダーを制御するためのサブ基板を、前記ＤＶＤローダーの下方に配置する構成である。そのため、サブ基板ホルダは、前記メイン基板の一次側回路側に固定できるよう、少なくとも一次側回路と接する箇所が絶縁物質で形成されているので、メイン基板の後方にＤＶＤローダーとＤＶＤローダーを制御するためのサブ基板を配置する構成であるＤＶＤ付テレビジョン装置において、サブ基板のビビリを防止することで、ユーザの不快感を発生させないＤＶＤ付テレビジョン装置を提供することができる。
【００４７】
そして、請求項３にかかる発明では、請求項２に記載のＤＶＤ付テレビジョン装置において、前記サブ基板ホルダは、樹脂にて形成されるとともに、厚みの薄い略Ｌ字状の基板配置面の外周に沿って上方に所定長だけ延設するリブと、前記基板配置面の端部から前記基板配置面と略垂直に延設する第一の基部の先端より、前記基板配置面と略水平に延設し、ネジが貫通するための貫通穴を有する台座面とで形成された２本の脚部とを有する構成としてある。
【００４８】
上記のように構成した請求項３にかかる発明において、サブ基板固定ホルダは、樹脂にて形成されるとともに、厚みの薄い略Ｌ字状の基板配置面の外周に沿って上方に所定長だけ延設するリブと、前記基板配置面の先端から前記基板配置面と略垂直に延設する第一の基部の端部より、前記基板配置面と略水平に延設し、ネジが貫通するための貫通穴を有する台座面とで形成された２本の脚部とを有する形状である構成とすることで、サブ基板とメイン基板との間に空間を形成するので、一次側回路の放熱を溜め込むことなくかつ一次側回路に実装する素子の高さを考慮する必要がないためメイン基板の設計の自由度を高めることができる。
【００４９】
さらに、請求項４にかかる発明では、請求項２または請求項３のいずれかに記載のＤＶＤ付テレビジョン装置において、当該ＤＶＤ付テレビジョン装置は、厚みの薄いフラットパネルディスプレイを、樹脂製のメインフレームにて、表示面を露出させつつ収容するものであって、前記サブ基板と、前記サブ基板ホルダと、前記メイン基板とは、前記メインフレームの背面に配置されたボスにて同一のネジにて友締めされる構成としてある。
【００５０】
上記のように構成した請求項４にかかる発明において、サブ基板ホルダと、メイン基板とをネジにてメインフレームのボスにネジ止めするので、ネジ本数を減らすことができる。
【００５１】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【図面の簡単な説明】
【００５２】
【図１】ＤＶＤ付テレビジョン装置のブロック構成図である。
【図２】ＤＶＤ付テレビジョン装置の背面図である。
【図３】ＤＶＤ付テレビジョン装置の側面図である。
【図４】サブ基板ホルダの斜視図である。
【図５】サブ基板ホルダに固定されるサブ基板を表す図である。
【図６】従来の、ＤＶＤ付テレビジョン装置の側面図である。
【符号の説明】
【００５３】
１０…ＤＶＤ付テレビジョン装置、１１…ＤＶＤローダー、１１ａ…ＤＶＤ載置用トレイ、１２…メイン基板、１２ａ…二次側回路、１２ａ１…チューナ部、１２ａ２…映像回路、１２ａ３…音声回路、１２ａ４…バッファ、１２ａ５…リモコンＩ／Ｆ、１２ａ６…マイコン、１２ａ７…記録部、１２ａ８…ＯＳＤ回路、１２ａ９…アンテナ、１２ｂ…一次側回路、１２ｂ１…コンセント、１２ｂ２…電源回路、１２ｃ、１２ｄ、１２ｅ、１２ｆ…貫通穴、１３…リモコン、１３ａ…赤外線送信部、１３ｂ…操作キー、１４…サブ基板ホルダ、１４ａ…基板配置面、１４ａ１、１４ａ２、１４ａ３…ボス、１４ｂ、１４ｃ…脚部、１４ｂ１、１４ｃ１…第一の基部、１４ｂ２、１４ｃ２…台座面、１４ｂ３、１４ｃ３…貫通穴、１４ｂ４、１４ｃ４…リブ、１４ｄ…基板位置決め用リブ、１５…サブ基板、１５ａ…ＤＶＤ制御回路、１５ｂ、１５ｃ、１５ｄ…ネジ穴、１６…スピーカ、１７…フラットパネルディスプレイ、１７ａ…駆動回路、１７ｂ…表示パネル、１８…メインフレーム、１８ａ、１８ｂ、１８ｃ、１８ｄ、１８ｅ、１８ｆ、１８ｇ、１８ｈ…ボス、１９…筺体、１９ａ…フロントキャビネット、１９ｂ…バックキャビネット、１９ｂ１…開口部、２０…ＤＶＤローダー固定用ホルダ。
【図１】
2007299435.tif 000003
【図２】
2007299435.tif 000004
【図３】
2007299435.tif 000005
【図４】
2007299435.tif 000006
【図５】
2007299435.tif 000007
【図６】
2007299435.tif 000008